(57)【要約】【課題】筐体の底部内側に形成された凹所の上方を開閉可能に覆うカバー体の閉状態をロック・アンロックする機構を筐体のより手前側に配設できるようにする。【解決手段】筐体３１の手前側端部３１ｆに配設され、カバー体の閉状態において当該カバー体の手前側端部を前記筐体の手前側端部に対してロック状態に維持する一方、前記筐体の手前側端部に沿って一方向へスライドすることにより、カバー体の手前側端部を筐体の手前側端部からアンロックするスライド部材４１と、当該スライド部材を筐体の手前側端部に対してスライド可能に取り付ける取付部材４３とを備え、取付部材は、筐体の手前側から奥側に向けて当該取付部材を適用して取り付け作業を行うことにより、スライド部材を筐体の手前側端部に対して取り付ける、ことを特徴とする。【選択図】図１０
2013161327.tif 000002
【特許請求の範囲】
【請求項１】
筐体の底部内側に形成された凹所の上方を開閉可能に覆うカバー体の閉状態をロック・アンロックするカバー体のロック・アンロック機構であって、
前記カバー体は、その奥側端部の枢支軸を中心にして上下方向に回動して開閉されるもので、付勢手段によって開方向に付勢されると共に、閉状態においてはその手前側端部が前記筐体の手前側端部に対してロックされており、
前記筐体の手前側端部に配設され、前記カバー体の閉状態において当該カバー体の手前側端部を前記筐体の手前側端部に対してロック状態に維持する一方、前記筐体の手前側端部に沿って一方向へスライドすることにより、前記カバー体の手前側端部を前記筐体の手前側端部からアンロックするスライド部材と、
前記スライド部材を前記筐体の手前側端部に対してスライド可能に取り付ける取付部材と、を備え、
前記取付部材は、前記筐体の手前側から奥側に向けて当該取付部材を適用して取り付け作業を行うことにより、前記スライド部材を前記筐体の手前側端部に対して取り付ける、
ことを特徴とするカバー体のロック・アンロック機構。
【請求項２】
前記取付部材は、前記筐体の手前側端部に固定される固定部と、前記スライド部材を前記筐体の手前側端部に対してスライド可能に支持しそのスライド動作を案内するガイド部とを備え、該ガイド部は前記固定部と一体に形成されている、ことを特徴とする請求項１に記載のカバー体のロック・アンロック機構。
【請求項３】
前記スライド部材は、前記カバー体の手前側端部に設けられた被係止部を係止するフック部を備えており、前記取付部材のガイド部は、前記フック部による前記被係止部の係止状態を解除し得る範囲で前記スライド部材のスライド量を規制する、ことを特徴とする請求項２に記載のカバー体のロック・アンロック機構。
【請求項４】
前記取付部材は、前記スライド部材を前記筐体の手前側端部に対してスライド可能に係止するスライド係止部を更に備えている、ことを特徴とする請求項２又は３に記載のカバー体のロック・アンロック機構。
【請求項５】
筐体の底部内側に形成された凹所内に固定されるディスク装置と、該ディスク装置の上方を開閉可能に覆うカバー体とを備えた情報処理装置であって、
前記カバー体は、その奥側端部の枢支軸を中心にして上下方向に回動して開閉されるもので、付勢手段によって開方向に付勢されると共に、閉状態においてはその手前側端部が前記筐体の手前側端部に対してロックされており、
前記筐体の手前側端部に、請求項１から４の何れかに記載のカバー体のロック・アンロック機構が配設されている、
ことを特徴とする情報処理装置。
【発明の詳細な説明】
【技術分野】
【０００１】
本発明は、カバー体のロック・アンロック機構、及びかかる機構を備えた情報処理装置に関する。
【背景技術】
【０００２】
例えばノート型パーソナルコンピュータ（以下、適宜、「ノートパソコン」と略称する）などの情報処理装置においては、比較的小型軽量・薄型のものでも、ディスク装置を内蔵したものが一般的になりつつある。このディスク装置とは、周知のように、光ディスク等のディスク状記録媒体に記録された情報信号の再生（読み出し）とディスク状記録媒体への情報信号の記録（書き込み）の少なくとも何れか一方を行うものである。
【０００３】
かかるディスク装置をノートパソコン等の比較的小型の情報処理装置に内蔵する構造として、情報処理装置の筐体の底部内側に凹所を形成しておき、この凹所内にディスク装置を固定し、その上方をカバー体で開閉可能に覆うようにした構造が知られている（例えば、特許文献１参照）。
【０００４】
この場合、カバー体は、（操作者から見て）奥側端部の枢支軸を中心にして上下方向に回動して開閉されるように構成され、バネ等の付勢手段によって常に開方向に付勢され、閉状態においてはその手前側端部が筐体の手前側端部に対してロック（係止等により拘束）されるように構成される。このようなカバー体は、多くの場合、キーボードの（操作者から見て）手前側にレイアウトされ、その上面は閉状態でパームレストを構成する。
【０００５】
カバー体をキーボードの手前側にレイアウトする場合、筐体の底部内側にてディスク装置が固定される前記凹所を、その奥側の一部がキーボードの手前側の一部の下方に位置するように、つまりキーボードと上下方向に重なる（オーバラップする）ように設けることにより、装置本体の高さ寸法の増大を抑制した上でその奥行き寸法を小さくでき、装置の一層の小型軽量化を図ることができる（例えば、特許文献２参照）。この場合、カバー体を開いてディスク装置に光ディスクを装着する際には、当該光ディスクの一部はキーボードの下方に進入して当該キーボードと上下方向に重なることになる。
【０００６】
以上のようなディスク装置及びカバー体を備えた情報処理装置では、カバー体の閉状態において当該カバー体の手前側端部を筐体の手前側端部に対してロック状態に維持する一方、筐体の手前側端部に沿って一方向へスライドさせることにより、カバー体のロック状態を解除する（アンロックする）スライド部材が、前記筐体の手前側端部に配設されるのが一般的である。従って、筐体の底部内側にてディスク装置が固定される前記凹所は、スライド部材との干渉を確実に回避するように、その奥側に設ける必要がある。
【先行技術文献】
【特許文献】
【０００７】
【特許文献１】米国特許第７５７４７１５号明細書
【特許文献２】特開２００４−３２６４９９号公報
【発明の概要】
【発明が解決しようとする課題】
【０００８】
前述のスライド部材を筐体の手前側端部に対してスライド可能に取り付ける場合、筐体の上下方向から（例えば下方から）取付金具を適用して取付作業を行うことが考えられる。しかしながら、この場合には、スライド部材は、取付金具を上下方向から適用して取り付けるに足る前後方向の幅寸法を確保する必要がある。
【０００９】
このため、筐体の底部内側にてディスク装置が固定される前記凹所は、このスライド部材との干渉を確実に回避するために、その前後方向の幅寸法に見合った分だけより奥側に設定せざるを得ず、装置本体の奥行き寸法をより小さくする上で一つのネックになっていた。
【００１０】
そこで、本発明は、筐体の底部内側に形成された凹所の上方を開閉可能に覆うカバー体の閉状態をロック・アンロックするカバー体のロック・アンロック機構を筐体の手前側端部に設けるに際して、当該ロック・アンロック機構を筐体のより手前側に配設できるようにすることを、基本的な目的としてなされたものである。
【課題を解決するための手段】
【００１１】
このため、本願の第１の発明に係るカバー体のロック・アンロック機構は、筐体の底部内側に形成された凹所の上方を開閉可能に覆うカバー体の閉状態をロック・アンロックするカバー体のロック・アンロック機構であって、前記カバー体は、その奥側端部の枢支軸を中心にして上下方向に回動して開閉されるもので、付勢手段によって開方向に付勢されると共に、閉状態においてはその手前側端部が前記筐体の手前側端部に対してロックされており、ａ）前記筐体の手前側端部に配設され、前記カバー体の閉状態において当該カバー体の手前側端部を前記筐体の手前側端部に対してロック状態に維持する一方、前記筐体の手前側端部に沿って一方向へスライドすることにより、前記カバー体の手前側端部を前記筐体の手前側端部からアンロックするスライド部材と、ｂ）前記スライド部材を前記筐体の手前側端部に対してスライド可能に取り付ける取付部材と、を備え、前記取付部材は、前記筐体の手前側から奥側に向けて当該取付部材を適用して取り付け作業を行うことにより、前記スライド部材を前記筐体の手前側端部に対して取り付ける、ことを特徴としたものである。
【００１２】
また、本願の第２の発明に係る情報処理装置は、筐体の底部内側に形成された凹所内に固定されるディスク装置と、該ディスク装置の上方を開閉可能に覆うカバー体とを備えた情報処理装置であって、前記カバー体は、その奥側端部の枢支軸を中心にして上下方向に回動して開閉されるもので、付勢手段によって開方向に付勢されると共に、閉状態においてはその手前側端部が前記筐体の手前側端部に対してロックされており、前記筐体の手前側端部に、前記第１の発明に係るカバー体のロック・アンロック機構が配設されている、ことを特徴としたものである。
【発明の効果】
【００１３】
本願の第１の発明によれば、ロック・アンロック機構のスライド部材を筐体の手前側端部に対してスライド可能に取り付ける取付部材は、筐体の手前側から奥側に向けて当該取付部材を適用して取り付け作業を行うことにより、スライド部材を筐体の手前側端部に対して取り付けるので、スライド部材の前後方向の幅寸法は、当該スライド部材の筐体への取付幅に直接に関係するものではなくなり、より小さく設定することができる。その結果、カバー体のロック・アンロック機構を筐体のより手前側に配設することでき、筐体の底部内側に形成する凹所を筐体のより手前側に設定して、筐体の奥行き寸法をより小さくすることができる。
【００１４】
また、本願の第２の発明によれば、筐体の底部内側に形成された凹所内に固定されるディスク装置と、該ディスク装置の上方を開閉可能に覆うカバー体とを備えた情報処理装置において、筐体の手前側端部に、前記第１の発明に係るカバー体のロック・アンロック機構が配設されていることにより、当該ロック・アンロック機構のスライド部材を筐体の手前側端部に対してスライド可能に取り付けるに際して、前記第１の発明と同様の効果を奏することができる。すなわち、筐体の底部内側に形成する凹所を筐体のより手前側に設定して、筐体の奥行き寸法（つまり装置の奥行き寸法を）をより小さくすることができ、装置のより一層の小型軽量化に貢献することができる。
【図面の簡単な説明】
【００１５】
【図１】本発明の実施形態に係るノートパソコンの使用可能状態を示す全体斜視図
【図２】前記ノートパソコンの不使用状態を示す全体斜視図
【図３】前記ノートパソコンの不使用状態における背面図
【図４】前記ノートパソコンの不使用状態における平面図
【図５】前記ノートパソコンの不使用状態における正面図
【図６】前記ノートパソコンの不使用状態における側面図であり、（ａ）は左側面図、（ｂ）は右側面図
【図７】前記ノートパソコンの不使用状態における底面図
【図８】ディスクカバーを取り外して示した前記ノートパソコンの操作制御部の平面図
【図９】ディスクカバーを取り外して示した前記ノートパソコンの操作制御部の斜め後方からの斜視図
【図１０】前記操作制御部のディスクカバーのロック・アンロック機構を拡大して示す拡大斜視図
【図１１】図１０の要部を拡大して示す要部拡大斜視図
【図１２】図１０の他の要部を拡大して示す要部拡大斜視図
【図１３】前記ロック・アンロック機構のスライド部材の説明図であり、（ａ）は平面図、（ｂ）は背面図、（ｃ）は（ｂ）のＹｃ−Ｙｃ方向からの矢視図、（ｄ）は（ｃ）のＹｄ−Ｙｄ方向からの矢視図、（ｅ）は（ｂ）の左側面図
【図１４】前記ロック・アンロック機構の取付部材の説明図であり、（ａ）は平面図、（ｂ）は背面図、（ｃ）は正面図、（ｄ）は（ｂ）の左側面図、（ｅ）は（ｂ）の右側面図
【図１５】前記ロック・アンロック機構のロック状態を示す説明図であり、（ａ）は平面図、（ｂ）は背面図、（ｃ）は（ｂ）のＹｃ−Ｙｃ方向からの矢視図、（ｄ）は（ｃ）のＹｄ−Ｙｄ方向からの矢視図
【図１６】前記ロック・アンロック機構のアンロック状態を示す説明図であり、（ａ）は平面図、（ｂ）は背面図、（ｃ）は（ｂ）のＹｃ−Ｙｃ方向からの矢視図、（ｄ）は（ｃ）のＹｄ−Ｙｄ方向からの矢視図
【発明を実施するための形態】
【００１６】
本願の第１の発明に係るカバー体のロック・アンロック機構は、上述の構成を基本として、以下のような態様をとることができる。すなわち、前記取付部材は、前記筐体の手前側端部に固定される固定部と、前記スライド部材を前記筐体の手前側端部に対してスライド可能に支持しそのスライド動作を案内するガイド部とを備え、該ガイド部は前記固定部と一体に形成されている、ようにしてもよい。
この構成によれば、前記ガイド部を前記固定部と一体に形成することにより、スライド部材のスライド動作を案内する部材を別途に設ける必要が無く、ロック・アンロック機構の構造をより簡素化することができる。
【００１７】
この場合において、前記スライド部材は、前記カバー体の手前側端部に設けられた被係止部を係止するフック部を備えており、前記取付部材のガイド部は、前記フック部による前記被係止部の係止状態を解除し得る範囲で前記スライド部材のスライド量を規制する、ようにしてもよい。
この構成によれば、スライド部材のスライド量を規制する部材を別途に設ける必要が無く、ロック・アンロック機構の構造をより一層簡素化することができる。
【００１８】
また、以上の場合において、前記取付部材は、前記スライド部材を筐体の手前側端部に対してスライド可能に係止するスライド係止部を更に備えている、ようにしてもよい。
この構成によれば、スライド部材を筐体の手前側端部に対しより安定してスライド可能に支持することができる。
【００１９】
＜実施の形態＞
以下、本発明の実施形態について、所謂ノートパソコンを例にとって、添付図面を参照しながら詳細に説明する。
尚、以下の説明では、特定の方向を意味する用語（例えば、「上」，「下」，「左」，「右」，「前」，「後」及びそれらを含む他の用語、「時計回り方向」、「反時計回り方向」）を使用する場合があるが、それらの使用は図面を参照した発明の理解を容易にするためであって、それらの用語の意味によって本発明は限定的に解釈されるべきものではない。
【００２０】
図１及び図２は、本発明の第１実施形態に係るノートパソコンの使用可能状態（開状態）および不使用状態（閉状態）をそれぞれ示す斜視図である。また、図３，図４，図５，図６及び図７は、前記ノートパソコンの不使用状態における背面図，平面図，正面図，側面図および底面図である。尚、図６の側面図において、（ａ）は左側面図を示し（ｂ）は右側面図を示している。
【００２１】
これらの図に示すように、本実施形態に係る情報処理装置としてのノートパソコンＷは、例えば液晶式とされた表示画面１２を有する表示部１０と、該表示部１０に入力される表示信号を生成し得る操作制御部３０とを備えている。該操作制御部３０は、キーボード等の入力装置３２、該入力装置３２による入力操作等に基づいて表示部へ出力する表示信号を生成する信号処理回路や中央演算処理装置（所謂ＣＰＵ）、更にはそれらの周辺部品（何れも不図示）などを含むものである。また、ユーザ（操作者）がノートパソコンＷを操作する操作状態において当該ユーザから見てキーボード３２の手前側には、タッチパッド３３が設けられており、ユーザはこのタッチパッド３３を上下左右になぞるだけで、カーソルの移動や表示画面１２のスクロール等を行うことができる。
【００２２】
前記表示部１０は、表示部側の筐体１１（第１筐体）に格納されてその周縁および背面が覆われており、一方、操作制御部３０は操作制御部側の筐体３１（第２筐体）に格納され、両筐体１０，３０は、ヒンジ機構２０により開閉可能に結合されている。
より詳しく説明すれば、第１筐体１１および第２筐体３１は共に、平面視における全体としての基本形状が略長方形状に形成されており、その一辺１１ｒ，３１ｒ側（つまり、ユーザがノートパソコンＷを操作する操作状態における当該ノートパソコンＷのユーザから見た後側）どうしをヒンジ機構２０を介して結合することにより、ヒンジ機構２０の回動軸線を中心にして両筐体が相対的に開閉動作を行えるようになっている。尚、本明細書において、前記「長方形」とは、その一形態として「正方形」である場合を含むものである。
【００２３】
第１，第２の筐体１０，３０は、機械的強度および剛性の確保や電磁シールド性の確保、更には、機器内部で発生する熱の効果的な放散などのために、金属材料を用いて製作され、本実施形態では、例えば、マグネシウム（Ｍｇ）を材料に用いて、溶融状態または半溶融状態の溶湯を所定の成形型に注入することによって成形されている。例えば、半溶融状態のＭｇ又はＭｇ合金の溶湯を用いて射出成形する、所謂、チクソモールディングなどが好適である。
【００２４】
本実施形態に係るノートパソコンＷは、前記操作制御部３０のタッチパッド３３の側方に、光ディスク等のディスク状記録媒体を着脱可能なディスク装置が内蔵され、その上方がカバー体３４（ディスクカバー）で開閉可能に覆われている。
図８は、ディスクカバー３４を取り外して示したノートパソコンＷの操作制御部３０の平面図で、図９は、同じくディスクカバー３４を取り外して示した操作制御部３０の斜め後方からの斜視図である。
【００２５】
これらの図に示すように、第２筐体３１のタッチパッド３３の側方部分でキーボード３２の（ユーザから見た）手前側部分の底部内側には、所定深さで所定の平面形状およびサイズの凹所３１ｃが形成されており、この凹所３１ｃ内にディスク装置３７が固定されている。
【００２６】
本実施形態では、前記凹所３１ｃは、その（ユーザから見た）奥側の一部がキーボード３２の手前側の一部の下方に位置するように、つまりキーボード３２と上下方向に重なる（オーバラップする）ように設けられている。これにより、ノートパソコンＷの第２筐体３１の高さ寸法の増大を抑制した上でその奥行き寸法を小さくでき、当該ノートパソコンＷの一層の小型軽量化を図ることができる。従って、この場合、ディスクカバー３４を開いてディスク装置３７に光ディスク（不図示）を装着する際には、当該光ディスクの一部はキーボード３２の手前側部分の下方に進入して当該キーボード３２と上下方向に重なることになる。
【００２７】
前記ディスク装置３７の上方を開閉可能に覆うディスクカバー３４は、キーボード３２の手前側の縁部にて該縁部に沿って（つまり、ディスクカバー３４の奥側端部にて該奥側端部に沿って）延設された枢支軸３５を中心にして、上下方向に回動して開閉されるように構成されている。尚、具体的には図示しなかったが、ディスクカバー３４が一定角度以上に開かないように規制するために、従来公知の規制手段が設けられている。
【００２８】
前記ディスクカバー３４は、例えば弦巻バネやトーションバネなどの付勢手段（不図示）によって常に開方向に付勢され、閉状態においてはその手前側端部が筐体３１の手前側端部に対してロック（係止等により拘束）されるように構成されている。そして、ディスクカバー３４の上面は、カバー閉状態では、ユーザがキーボード３２を操作する際のパームレストとしての役割を果たしている。
【００２９】
以上のように構成されたディスクカバー３４は、第２筐体３１の手前側端部３１ｆに供えられたロック・アンロック機構４０によって、第２筐体３１の手前側端部３１ｆに対するロック・アンロックが操作される。次に、このディスクカバー３４のロック・アンロック機構について、図１０から図１２を参照しながら説明する。
図１０は前記ディスクカバー３４のロック・アンロック機構を拡大して示す拡大斜視図であり、図１１は図１０の要部を拡大して示す要部拡大斜視図である。また、図１２は図１０の他の要部を拡大して示す要部拡大斜視図である。
【００３０】
これらの図に示すように、第２筐体３１の手前側端部３１ｆには、ディスクカバー３４の閉状態において当該ディスクカバー３４の手前側端部を第２筐体３１の手前側端部３１ｆに対してロック状態に維持する一方、第２筐体３１の手前側端部３１ｆに沿って一方向へスライドさせることにより、ディスクカバー３４のロック状態を解除する（アンロックする）スライド部材４１が配設されている。このスライド部材４１は、取付部材４３によって第２筐体３１の手前側端部３１ｆに対してスライド可能に取り付けられている。
【００３１】
前記スライド部材４１の側方には、当該スライド部材４１を第２筐体３１の手前側端部３１ｆに沿ってスライド駆動する駆動シリンダ４５が配設され、スライド部材４１の長手方向における一端側は、駆動シリンダ４５の連結ロッド４５ｂに結合されている。駆動シリンダ４５の手前側の筐体表面には、当該駆動シリンダ４５を駆動操作する操作スイッチ４８（図８参照）が配置されており、ノートパソコンＷの電源がＯＮされている状態で、前記操作スイッチ４８を例えば所定方向へ操作することにより、駆動シリンダ４５が駆動されて、スライド部材４１を、第２筐体３１の手前側端部３１ｆに沿って、一方向へスライドさせることができるようになっている。
【００３２】
以上のように、ディスクカバー３４のロック・アンロック機構４０は、スライド部材４１と取付部材４３と駆動シリンダ４５と操作スイッチ４８とを備えて構成されている。  次に、スライド部材４１及び取付部材４３の詳細について、図１３から図１６を参照しながら説明する。
【００３３】
図１３はロック・アンロック機構４０のスライド部材４１の説明図であり、（ａ）は平面図，（ｂ）は背面図，（ｃ）は（ｂ）のＹｃ−Ｙｃ方向からの矢視図，（ｄ）は（ｃ）のＹｄ−Ｙｄ方向からの矢視図，（ｅ）は（ｂ）の左側面図である。また、図１４は、前記ロック・アンロック機構４０の取付部材４３の説明図であり、（ａ）は平面図，（ｂ）は背面図，（ｃ）は正面図，（ｄ）は（ｂ）の左側面図，（ｅ）は（ｂ）の右側面図である。更に、図１５は前記ロック・アンロック機構４０のロック状態を示す説明図であり、（ａ）は平面図，（ｂ）は背面図，（ｃ）は（ｂ）のＹｃ−Ｙｃ方向からの矢視図，（ｄ）は（ｃ）のＹｄ−Ｙｄ方向からの矢視図である。また更に、図１６は前記ロック・アンロック機構のアンロック状態を示す説明図であり、（ａ）は平面図，（ｂ）は背面図，（ｃ）は（ｂ）のＹｃ−Ｙｃ方向からの矢視図，（ｄ）は（ｃ）のＹｄ−Ｙｄ方向からの矢視図である。
【００３４】
図１３に示すように、スライド部材４１は、所定厚さの例えば鋼板を打ち抜き及び曲折成形して製作され、第２筐体３１の手前側端部３１ｆの縦壁部３１ｗ（図１５（ａ）及び図１６（ａ）参照）に沿って長手方向へスライド可能に取り付けられる本体部４１ｂと、該本体部４１ｂの比較的下部に設けられ、後述する取付部材４３のガイド軸部４３ｇを挿通させる所定長さのスライド溝部４１ｇとを備えている。このスライド溝部４１ｇは、スライド部材本体４１ｂの長手方向に沿って延設され、その片側が開口し他側は閉鎖端部を形成している。
【００３５】
また、本体部４１ｂの比較的下部には、ディスクカバー３４の裏面に設けられた係止用突起部３４ｐ（図１５（ｂ）及び図１６（ｂ）参照）を係止するためのフック部４１ｆが設けられている。前記スライド溝部４１ｇ及びフック部４１ｆは、好ましくは、スライド部材本体４１ｂの長手方向に２箇所ずつ設けられている。更に、本体部４１ｂの長手方向における一端側（図１３における左側）には、駆動シリンダ４５の連結ロッド４５ｂに結合される結合部４１ｃが設けられている。
【００３６】
図１４に示すように、取付部材４３は、第２筐体３１の手前側端部３１ｆの縦壁部３１ｗに固定される固定部４３ｂと、前記スライド部材４１を第２筐体３１の手前側端部３１ｆの縦壁部３１ｗに対してスライド可能に支持し、そのスライド動作を案内するガイド軸部４３ｇとを備えている。該ガイド軸部４３ｇは、前記固定部４３ｂよりも外形サイズが小さく該固定部４３ｂの先端側に一体に形成されている。また、ガイド軸部４３ｇの先端には、当該ガイド軸部４３ｇよりも大径で、且つ、スライド部材４１のガイド溝部４１ｇの溝幅よりも大きい外径寸法を有する頭部４３ｈが一体に形成されており、ガイド軸部４３ｇがガイド溝部４１ｇから抜脱することを防止している。
【００３７】
固定部４３ｂはその外形寸法が、縦壁部３１ｗに形成された取付部（例えば取付孔：不図示）に例えば締め代をもって嵌合する寸法もしくは接着固定に好適な寸法に設定されている。或いは、固定部４３ｂを縦壁部３１ｗの取付部に接着固定するようにしてもよい。また、前記ガイド軸部４３ｇは、スライド部材４１のスライド溝部４１ｇ内に挿通され、スライド部材４１のスライド動作をスムースに案内するに好適な外形寸法を有している。
【００３８】
本実施形態では、前記取付部材４３は、第２筐体３１の手前側から奥側に向けて当該取付部材４３を適用して取り付け作業を行うことにより、前記スライド部材４１を第２筐体３１の手前側端部３１ｆの縦壁部３１ｗに対してスライド可能に取り付けることができるようになっている。すなわち、縦壁部３１ｗには、前述の取付部（例えば取付孔：不図示）が形成されており、取付部材４３は、第２筐体３１の手前側から奥側に向けて適用して取り付け作業を行うことにより、ガイド軸部４３ｇが取付孔を挿通した後、固定部４３ｂを取付孔に嵌合固定もしくは接着固定することができる。
【００３９】
このように、取付部材４３は、第２筐体３１の手前側から奥側に向けて当該取付部材４３を適用して取り付け作業を行うことにより、スライド部材４１を第２筐体３１の手前側端部３１ｆに対して取り付けるので、スライド部材４１の前後方向の幅寸法は、当該スライド部材４１の筐体３１への取付幅に直接に関係するものではなくなり、より小さく設定することができる。その結果、ディスクカバー３４のロック・アンロック機構４０を第２筐体３１のより手前側に配設することでき、第２筐体３１の底部内側に形成する凹所３１ｃを当該筐体３１のより手前側に設定して、第２筐体３１の奥行き寸法をより小さくすることができる。
【００４０】
また、前記取付部材４３は、第２筐体３１の手前側端部３１ｆの縦壁部３１ｗに固定される固定部４３ｂと、前記スライド部材４１を第２筐体３１の手前側端部３１ｆに対してスライド可能に支持しそのスライド動作を案内するガイド軸部４３ｇとを備え、該ガイド部４３ｇは前記固定部４３ｂと一体に形成されていることにより、スライド部材４１のスライド動作を案内する部材を別途に設ける必要が無く、ロック・アンロック機構４０の構造がより簡素化されている。
【００４１】
また、より好ましくは、前記取付部材４３は、スライド部材４１を第２筐体３１の手前側端部３１ｆの縦壁部３１ｗに対してスライド可能に係止するスライド係止部４３ｃを更に備えている。このスライド係止部４３ｃは、縦壁部３１ｗに形成された今一つの取付孔およびスライド部材本体４１ｂに設けられた挿通孔を順次挿通して取り付けられ、その先端の爪部がスライド部材本体４１ｂの背面を支持している。
【００４２】
取付部材４３が、前記ガイド軸部４３ｇに加えて、このようなスライド係止部４３ｃを更に備えることにより、スライド部材４１を縦壁部３１ｗに対してスライド可能に支持するに際し、より安定した支持を実現することができる。
【００４３】
ディスクカバー３４の手前側端部が第２筐体３１の手前側端部３１ｆに係止（ロック）されている状態では、図１５（ｂ）及び（ｄ）に示されるように、ディスクカバー３４の裏面側の突起部３４ｐは、スライド部材４１のフック部４１ｆに係止されている。また、このロック状態では、取付部材４３のガイド軸部４３ｇは、スライド部材４１のスライド溝部４１ｇの開口に近い側に位置している。
【００４４】
ノートパソコンＷの電源がＯＮされているとき、このロック状態において操作スイッチ４８が開操作されると、駆動シリンダ４５が駆動され、図１６に示されるように、連結ロッド４５ｂが図における左方へ引き込まれ、これに伴って、スライド部材４１が左方へスライドさせられる。その結果、図１６（ｂ）及び（ｄ）に示されるように、ディスクカバー３４の裏面側の突起部３４ｐは、スライド部材４１のフック部４１ｆから外れ、係止状態が解除される。つまり、ディスクカバー３４の手前側端部は、第２筐体３１の手前側端部３１ｆからロック解除（アンロック）される。
【００４５】
このとき、スライド部材４１のスライド量は、スライド部材４１のガイド溝部４１ｇの閉鎖端部が取付部材４３のガイド軸部４３ｇに当て止められることにより、前記フック部４１ｆによる前記突起部３４ｐの係止状態を解除し得る範囲で規制されている。
【００４６】
このように、取付部材４３と一体に設けられたガイド軸部４３ｇとスライド部材４１のガイド溝部４１ｇとがスライド部材４１のスライド量を規制することにより、当該スライド量を規制するために別部材を設ける必要が無く、ロック・アンロック機構４０の構造がより一層簡素化されている。
【００４７】
以上、説明したように、本実施形態によれば、第２筐体３１の底部内側に形成された凹所３１ｃ内に固定されるディスク装置３７と、該ディスク装置３７の上方を開閉可能に覆うディスクカバー３４とを備えたノートパソコンＷにおいて、第２筐体３１の手前側端部３１ｆに、ディスクカバー３４のロック・アンロック機構４０が配設されている。そして、このロック・アンロック機構４０の取付部材４３は、第２筐体３１の手前側から奥側に向けて当該取付部材４３を適用して取り付け作業を行うことにより、スライド部材４１を第２筐体３１の手前側端部３１ｆに対して取り付けるので、スライド部材４１の前後方向の幅寸法は、当該スライド部材４１の筐体３１への取付幅に直接に関係するものではなくなり、より小さく設定することができる。その結果、ディスクカバー３４のロック・アンロック機構４０を第２筐体３１のより手前側に配設することでき、第２筐体３１の底部内側に形成する凹所３１ｃを当該筐体３１のより手前側に設定して、第２筐体３１の奥行き寸法を（従って、ノートパソコンＷの奥行き寸法を）より小さくすることができ、当該ノートパソコンＷのより一層の小型軽量化に貢献することができるのである。
【００４８】
尚、以上の説明は、ノートパソコンを例にとったものであったが、本発明はかかる場合に限定されるものではなく、他の種々の情報処理装置においても、有効に適用することができる。
【００４９】
このように、本発明は、上述の実施形態や変形例に限定されるものではなく、その要旨を逸脱しない範囲において、種々の変更や設計上の改良等を行い得るものであることは、言うまでもない。
【産業上の利用可能性】
【００５０】
本発明は、例えば、筐体の底部内側に形成された凹所の上方を開閉可能に覆うカバー体のロック・アンロック機構として、更にはかかる機構を備えた情報処理装置（例えばノートパソコン）として、有効に利用することができる。
【符号の説明】
【００５１】
３１  第２筐体
３１ｃ  （第２筐体の）凹所
３１ｆ  （第２筐体の）手前側端部
３１ｗ  （第２筐体の）縦壁部
３４  ディスクカバー
３４ｐ  （ディスクカバーの）突起部
３５  枢支軸
３７  ディスク装置
４０  ロック・アンロック機構
４１  スライド部材
４１ｆ  （スライド部材の）フック部
４１ｇ  （スライド部材の）スライド溝部
４３  取付部材
４３ｂ  （取付部材の）固定部
４３ｃ  （取付部材の）係止部
４３ｇ  （取付部材の）ガイド軸部
４５  駆動シリンダ
４８  操作スイッチ
Ｗ  ノートパソコン
【図１】
2013161327.tif 000003
【図２】
2013161327.tif 000004
【図３】
2013161327.tif 000005
【図４】
2013161327.tif 000006
【図５】
2013161327.tif 000007
【図６】
2013161327.tif 000008
【図７】
2013161327.tif 000009
【図８】
2013161327.tif 000010
【図９】
2013161327.tif 000011
【図１０】
2013161327.tif 000012
【図１１】
2013161327.tif 000013
【図１２】
2013161327.tif 000014
【図１３】
2013161327.tif 000015
【図１４】
2013161327.tif 000016
【図１５】
2013161327.tif 000017
【図１６】
2013161327.tif 000018